(57)【要約】  【課題】蛍光灯ソケットにコンデンサを直接取付けかつ着脱自在にしたことにより、コンデンサが故障した場合でも蛍光灯取付け装置を取り外すことなくコンデンサのみ交換できる。  【解決手段】１は電子点灯装置と、２は蛍光灯と、３ａ，３ｂは電力供給線と、４ａ，４ｂは蛍光灯ソケットと、５ａ，５ｂは蛍光灯ソケット４ａ，４ｂの接点と、６はコンデンサと、８は信号線と、９ａ，９ｂはコンデンサの端子と接続するコネクタとを備え、蛍光灯ソケットにコンデンサを直接取付けかつ着脱自在にしたことにより、コンデンサが故障した場合でも蛍光灯取付け装置を取り外すことなくコンデンサのみ交換できる。【選択図】図１
2008033496.tif 000002
【特許請求の範囲】
【請求項１】
自動販売機の前面外扉に備えた商品サンプル展示室に組み込んだ蛍光灯の取付け装置で、左右両端に前記蛍光灯のソケットを取付けて前記商品サンプル展示室に設置し、前記ソケットに前記蛍光灯の入力端子に接続されるコンデンサを直接取付けかつ着脱自在であることを特徴とする自動販売機の蛍光灯取付け装置。
【請求項２】
コンデンサを保持するコンデンサソケットを有し、前記コンデンサソケットには蛍光灯のソケットに接続する爪部が形成されていることを特徴とする請求項１に記載の自動販売機の蛍光灯取付け装置。
【請求項３】
コンデンサを保持するコンデンサソケットを有し、前記コンデンサソケットには蛍光灯のソケットに対応する面に磁石を備え、前記磁石によって前記蛍光灯のソケットと着脱自在に取付けられることを特徴とする請求項１に記載の自動販売機の蛍光灯取付け装置。
【発明の詳細な説明】
【技術分野】
【０００１】
本発明は、蛍光灯始動コンデンサを内蔵した自動販売機の蛍光灯取付け装置に関するものである。
【背景技術】
【０００２】
従来、この種の自動販売機の蛍光灯取付け装置は、自動販売機やショーケースなどの照明に使用されている（例えば、特許文献１参照）。
【０００３】
図６は特許文献１に記載された従来の自動販売機の蛍光灯取付け装置を用いた照明装置の配線状況を示した図である。図６に示すように、１は電子点灯装置と、２は蛍光灯と、３ａ，３ｂは電力供給線と、４ａ，４ｂは蛍光灯ソケットと、５ａ，５ｂは蛍光灯ソケット４ａ，４ｂの接点と、６はコンデンサと、７ａ，７ｂはコンデンサとの接点、８は信号線から構成されている。
【０００４】
以上のように構成された自動販売機の蛍光灯取付け装置について、以下その動作を説明する。
【０００５】
まず、電子点灯装置１からは蛍光灯２に電力を供給するための電力供給線３ａ，３ｂが接続され、電力供給線３ａは蛍光灯ソケット４ａの接点５ａに、電力供給線３ｂはソケット４ｂの接点５ｂにそれ接続されている。蛍光灯ソケット４ａ内にはコンデンサ６が内蔵され、その一方の端子は蛍光灯ソケット４ａの接点７ａに接続されている。また他の端子は、蛍光灯ソケット４ｂの端子７ｂに信号線８で接続されている。このように配線することによって、電子点灯装置１から蛍光灯２に印加される高周波電圧がコンデンサ６と共振して蛍光灯２の放電が維持されることになる。
【特許文献１】特開平６−１３１４６号公報
【発明の開示】
【発明が解決しようとする課題】
【０００６】
しかしながら、上記従来の構成では、コンデンサが蛍光灯取付け装置に内臓されているためコンデンサが故障した場合、蛍光灯取付け装置ごと交換しなければならないという課題を有していた。
【０００７】
本発明は従来の課題を解決するもので、蛍光灯取付け装置からコンデンサを脱着できるようにすることにより、コンデンサが故障した場合でも蛍光灯取付け装置を取り外すことなくコンデンサのみ交換できる。自動販売機の蛍光灯取付け装置を提供することを目的とする。
【課題を解決するための手段】
【０００８】
上記従来の課題を解決するために、本発明の請求項１に記載の発明は、自動販売機の前面外扉に備えた商品サンプル展示室に組み込んだ蛍光灯の取付け装置で、左右両端に前記蛍光灯のソケットを取付けて前記商品サンプル展示室に設置し、前記ソケットに前記蛍光灯の入力端子に接続されるコンデンサを直接取付けかつ着脱自在にしたことを特徴としものである。
【０００９】
これによって、コンデンサが故障した場合でも蛍光灯取付け装置を取り外すことなくコンデンサのみの交換ができる。
【００１０】
また、本発明の請求項２に記載の発明は、請求項１に記載の発明に、さらにコンデンサを保持するコンデンサソケットを備え、前記コンデンサソケットには蛍光灯のソケットに接続する爪部が形成されていることを特徴としたものである。
【００１１】
これによって、左右の蛍光灯ソケットは同一でもので、左右の蛍光灯ソケットのどちらかにコンデンサソケットを取り付けることができる。
【００１２】
また、本発明の請求項３に記載の発明は、請求項１に記載の発明に、さらに蛍光灯のソケットに対応する面に磁石を備え、前記磁石によって前記蛍光灯のソケットと着脱自在に取付けられることを特徴としたものである。これによって、蛍光灯ソケット以外の金属部に取り付けることができる。
【発明の効果】
【００１３】
本発明の請求項１に記載の発明は、蛍光灯取付け装置からコンデンサを脱着できるようにすることにより、コンデンサが故障した場合でも蛍光灯取付け装置を取り外すことなくコンデンサのみ交換できる。
【００１４】
また、本発明の請求項２に記載の発明は、左右の蛍光灯ソケットから、コンデンサソケットを脱着できるようにしたことにより、左右の蛍光灯ソケットの内部配線が共通化となり、安価に構成することができる。
【００１５】
また、本発明の請求項３に記載の発明は、コンデンサソケットの蛍光灯ソケットに対応する面に磁石を取り付けることにより、蛍光灯ソケット以外の金属面に取り付けることができる。
【発明を実施するための最良の形態】
【００１６】
請求項１に記載の発明は、自動販売機の前面外扉に備えた商品サンプル展示室に組み込んだ蛍光灯の取付け装置で、左右両端に前記蛍光灯のソケットを取付けて前記商品サンプル展示室に設置し、前記ソケットに前記蛍光灯の入力端子に接続されるコンデンサを直接取付けかつ着脱自在にしたことにより、コンデンサが故障した場合でも蛍光灯取付け装置を取り外すことなくコンデンサのみの交換ができる。
【００１７】
請求項２に記載の発明は、請求項１に記載の発明に、さらにコンデンサを保持するコンデンサソケットを備えたことにより、左右の蛍光灯ソケットは同一でもので、左右の蛍光灯ソケットのどちらかにコンデンサソケットを取り付けることができる。
【００１８】
請求項３に記載の発明は、請求項１に記載の発明に、さらに蛍光灯のソケットに対応する面に磁石を備えたことにより、蛍光灯ソケット以外の金属部に取り付けることができる。
【００１９】
以下、本発明による実施の形態について、図面を参照しながら説明する。なお、この実施の形態によってこの発明が限定されるものではない。
【００２０】
（実施の形態１）
図１は、本発明の実施の形態１における自動販売機の蛍光灯取付け装置の概略図である。図２は、同実施の形態の自動販売機の蛍光灯取付け装置の配線状況を示した図である。
【００２１】
図１、図２において、１は電子点灯装置と、２は蛍光灯と、３ａ，３ｂは電力供給線４ａ、４ｂは蛍光灯ソケットと、５ａ，５ｂは蛍光灯ソケット４ａ，４ｂの接点と、６はコンデンサと、８は信号線と、９ａ，９ｂはコンデンサの端子と接続するコネクタから構成されている。
【００２２】
以上のように構成された自動販売機について、以下その自動販売機の蛍光灯取付け装置の動作、作用を図２をもとにして説明する。
【００２３】
電子点灯装置１からは蛍光灯２に電力を供給するための電力供給線３ａ，３ｂが接続され、電力供給線３ａは蛍光灯ソケット４ａの接点５ａに、電力供給線３ｂは蛍光灯ソケット４ｂの接点５ｂにそれ接続されている。蛍光灯ソケット４ａにはコンデンサ６が取り付けられ、その一方の端子はコンデンサの端子と接続するコネクタ９ａに接続されている。また他の端子はコンデンサの他端子と接続するコネクタ９ｂに接続され、信号線８で接続されている。
【００２４】
以上のように、本実施の形態においては、自動販売機の前面外扉に備えた商品サンプル展示室に組み込んだ蛍光灯の取付け装置で、左右両端に前記蛍光灯のソケットを取付けて前記商品サンプル展示室に設置し、前記ソケットに前記蛍光灯の入力端子に接続されるコンデンサを直接取付けかつ着脱自在にしたことにより、コンデンサが故障した場合でも蛍光灯取付け装置を取り外すことなくコンデンサのみの交換ができる。
【００２５】
（実施の形態２）
図３は、本発明の実施の形態２における自動販売機の蛍光灯取付け装置の概略図である。図４は、同実施の形態の自動販売機の蛍光灯取付け装置の配線状況を示した図である。
【００２６】
図４において、コンデンサソケット１０ａは、爪形状の突起部を設け、蛍光灯ソケットの背面に脱着可能にしたコンデンサを収納するものである。
【００２７】
本実施の形態は、実施の形態１による自動販売機の蛍光灯取付け装置に、さらに、コンデンサを収納するコンデンサソケットを設けたものである。
【００２８】
以上のように構成された自動販売機の蛍光灯取付け装置について、以下その動作、作用を図４をもとにして説明する。
【００２９】
電子点灯装置１からは蛍光灯２に電力を供給するための電力供給線３ａ，３ｂが接続され、電力供給線３ａは蛍光灯ソケット４ａの接点５ａに、電力供給線３ｂは蛍光灯ソケット４ｂの接点５ｂに接続されている。コンデンサソケット１０ａは蛍光灯ソケット４ａと脱着可能で、コンデンサが収納され、その一方の端子はコンデンサの端子と接続するコネクタ９ａに接続されている。また他の端子はコンデンサの他端子と接続するコネクタ９ｂに接続され、信号線８で接続されている。
【００３０】
以上のように、本実施の形態においては請求項１に記載の発明に、左右の蛍光灯ソケットから、コンデンサソケットを脱着できるようにしたことにより、左右の蛍光灯ソケットの内部配線が共通化でき、安価に構成することができる。
【００３１】
（実施の形態３）
図５は、本発明の実施の形態３の自動販売機の蛍光灯取付け装置の概略図である。
【００３２】
図５において、コンデンサソケット１０ｂと蛍光灯ソケット４ａの対応する面に磁石１１を取り付けたものである。
【００３３】
以上のように構成された自動販売機の蛍光灯取付け装置について、以下その動作、作用を図５をもとにして説明する。
【００３４】
蛍光灯ソケット４ａとコンデンサソケット１０ｂは対応する面に磁石１１をそれぞれ取り付けられている。
【００３５】
以上のように、本実施の形態においては請求項１に記載の発明に、さらに、コンデンサソケットには蛍光灯のソケットに対応する面に磁石１１を備えたことにより、蛍光灯ソケット以外の金属部に取り付けることができる。
【産業上の利用可能性】
【００３６】
以上のように、本発明にかかる自動販売機の蛍光灯取付け装置は、蛍光灯取付け装置からコンデンサを脱着できるようにすることにより、コンデンサが故障した場合でも蛍光灯取付け装置を取り外すことなくコンデンサのみ交換でき、ショーケースや家庭用照明器具等の用途にも適用できる。
【図面の簡単な説明】
【００３７】
【図１】本発明の実施の形態１における自動販売機の蛍光灯取付け装置の概略図
【図２】同実施の形態の自動販売機の蛍光灯取付け装置の配線状況を示した図
【図３】本発明の実施の形態２における自動販売機の蛍光灯取付け装置の概略図
【図４】同実施の形態の自動販売機の蛍光灯取付け装置の配線状況を示した図
【図５】本発明の実施の形態３における自動販売機の蛍光灯取付け装置の概略図
【図６】従来の自動販売機の蛍光灯取付け装置を用いた照明装置の配線状況を示した図
【符号の説明】
【００３８】
１    電子点灯装置
２    蛍光灯
３ａ，３ｂ  電力供給線
４ａ，４ｂ  蛍光灯ソケット
５ａ，５ｂ  蛍光灯ソケットの接点
６    コンデンサ
７ａ，７ｂ  コンデンサとの接点
８    信号線
９ａ，９ｂ  コンデンサの端子と接続するコネクタ
１０ａ，１０ｂ  コンデンサソケット
１１  磁石
【図１】
2008033496.tif 000003
【図２】
2008033496.tif 000004
【図３】
2008033496.tif 000005
【図４】
2008033496.tif 000006
【図５】
2008033496.tif 000007
【図６】
2008033496.tif 000008